(57)【要約】      （修正有）【課題】揉み玉の耐久性を向上させたマッサージ装置を提供する。【解決手段】電動機を有する本体部２と、本体部２に設けられかつ電動機で第１軸心Ａ１の回りで回転駆動される回転台３と、回転台３上に設けられかつ使用者に押圧されることにより使用者に刺激を与える押圧部４とを有するマッサージ装置である。押圧部４は、回転台３から使用者側に突出する支持部材１０と、支持部材１０に、第１軸心Ａ１と直交する第２軸心Ａ２回りに回転自在に支持された少なくとも一つの揉み玉１１とを含む。【選択図】図３
0003185001.tif 000002
【実用新案登録請求の範囲】
【請求項１】
電動機を有する本体部と、前記本体部に設けられかつ前記電動機で第１軸心の回りで回転駆動される回転台と、前記回転台上に設けられかつ使用者に押圧されることにより前記使用者に刺激を与える押圧部とを有するマッサージ装置であって、
前記押圧部は、前記回転台から前記使用者側に突出する支持部材と、前記支持部材に、前記第１軸心と直交する第２軸心回りに回転自在に支持された少なくとも一つの揉み玉とを含むことを特徴とするマッサージ装置。
【請求項２】
前記揉み玉は、前記支持部材の前記第２軸心方向の両側に左右一対設けられている請求項１記載のマッサージ装置。
【請求項３】
前記揉み玉は、前記支持部材から離間する向きに外径が漸減する略お椀状である請求項１又は２記載のマッサージ装置。
【請求項４】
前記揉み玉は、前記第２軸心と同心の円筒状外径を有している請求項１又は２記載のマッサージ装置。
【請求項５】
前記支持部材は、前記揉み玉の前記使用者側の端面と滑らかに連続する押圧面を有している請求項１乃至４のいずれかに記載のマッサージ装置。
【請求項６】
前記端面と前記押圧面とは、前記使用者側に向かって凸となる滑らかな円弧状である請求項５に記載のマッサージ装置。
【請求項７】
前記支持部材は、前記回転台の前記第１軸心から偏心した位置に設けられている請求項１乃至６のいずれかに記載のマッサージ装置。
【請求項８】
前記支持部材と前記回転台との間には、前記揉み玉を前記第１軸心と平行に移動させるバネが設けられ、
前記支持部材は、前記回転台から抜け止めされている請求項１乃至７のいずれかに記載のマッサージ装置。
【請求項９】
前記回転台は、前記使用者側にのびる立ち上がり部を有し、
前記支持部材は、前記回転台側に配された筒状の円筒部、前記円筒部と前記揉み玉との間で前記第２軸心と平行にのびる鍔部、及び、前記鍔部の周りで前記回転台側にのびかつ前記円筒部との間に空間を設ける立ち下がり部を有し、
前記空間と前記立ち上がり部との間には、コイル状の前記バネが設けられている請求項１乃至８のいずれかに記載のマッサージ装置。
【請求項１０】
前記鍔部は、前記揉み玉の前記第１軸心に沿った前記回転台側への移動を規制する請求項９記載のマッサージ装置。
【請求項１１】
前記揉み玉が押圧されていない自由状態において、前記立ち下がり部は、前記第１軸心方向に対して、前記立ち上がり部と重なる重なり部を有している請求項９又は１０に記載のマッサージ装置。
【請求項１２】
前記支持部材は、前記第１軸心と平行な第３軸心周りに回転可能である請求項１乃至１１のいずれかに記載のマッサージ装置。
【請求項１３】
前記支持部材は、前記回転台に対し固着されている請求項１乃至７のいずれかに記載のマッサージ装置。
【考案の詳細な説明】
【技術分野】
【０００１】
本考案は、揉み玉の耐久性を向上させたマッサージ装置に関する。
【背景技術】
【０００２】
身体の血行不良等を改善するものとして、身体の各部を押圧して刺激を与える揉み玉を有するマッサージ装置が知られている。このようなマッサージ装置ａとして、例えば、図７に示されるように、第１軸心ｋ周りに回転駆動される回転台ｓと、この回転台ｓに設けられかつそれぞれ第１軸心ｋに略平行な回転軸ｎ周りに回転可能な一対の揉み玉ｍ、ｍとを具えたものが知られている。
【０００３】
しかしながら、上述のマッサージ装置ａでは、揉み玉ｍが、使用者又はマッサージ装置を被覆するカバー等（図示省略、また、以下、本明細書では、「使用者等」という。）と直角な向きの回転軸心ｎ周りに回転（自転）するものであるため、揉み玉ｍと使用者等との摩擦が大きくなり、揉み玉ｍの耐久性が悪化するという問題があった。
【先行技術文献】
【特許文献】
【０００４】
【特許文献１】特開２０１２−２４５２５６号公報
【考案の概要】
【考案が解決しようとする課題】
【０００５】
本考案は、以上のような問題点に鑑み案出されたもので、揉み玉の回転方向を改善することを基本として、揉み玉の耐久性を向上させたマッサージ装置を提供することを目的とする。
【課題を解決するための手段】
【０００６】
本発明は、電動機を有する本体部と、前記本体部に設けられかつ前記電動機で第１軸心の回りで回転駆動される回転台と、前記回転台上に設けられかつ使用者に押圧されることにより前記使用者に刺激を与える押圧部とを有するマッサージ装置であって、前記押圧部は、前記回転台から前記使用者側に突出する支持部材と、前記支持部材に、前記第１軸心と直交する第２軸心回りに回転自在に支持された少なくとも一つの揉み玉とを含むことを特徴とする。
【０００７】
本発明に係る前記マッサージ装置は、前記揉み玉は、前記支持部材の前記第２軸心方向の両側に左右一対設けられているのが望ましい。
【０００８】
本発明に係る前記マッサージ装置は、前記揉み玉は、前記支持部材から離間する向きに外径が漸減する略お椀状であるのが望ましい。
【０００９】
本発明に係る前記マッサージ装置は、前記揉み玉は、前記第２軸心と同心の円筒状外径を有しているのが望ましい。
【００１０】
本発明に係る前記マッサージ装置は、前記支持部材は、前記揉み玉の前記使用者側の端面と滑らかに連続する押圧面を有しているのが望ましい。
【００１１】
本発明に係る前記マッサージ装置は、前記端面と前記押圧面とは、前記使用者側に向かって凸となる滑らかな円弧状であるのが望ましい。
【００１２】
本発明に係る前記マッサージ装置は、前記支持部材は、前記回転台の前記第１軸心から偏心した位置に設けられているのが望ましい。
【００１３】
本発明に係る前記マッサージ装置は、前記支持部材と前記回転台との間には、前記揉み玉を前記第１軸心と平行に移動させるバネが設けられ、前記支持部材は、前記回転台から抜け止めされているのが望ましい。
【００１４】
本発明に係る前記マッサージ装置は、前記回転台は、前記使用者側にのびる立ち上がり部を有し、前記支持部材は、前記回転台側に配された筒状の円筒部、前記円筒部と前記揉み玉との間で前記第２軸心と平行にのびる鍔部、及び、前記鍔部の周りで前記回転台側にのびかつ前記円筒部との間に空間を設ける立ち下がり部を有し、前記空間と前記立ち上がり部との間には、コイル状の前記バネが設けられているのが望ましい。
【００１５】
本発明に係る前記マッサージ装置は、前記鍔部は、前記揉み玉の前記第１軸心に沿った前記回転台側への移動を規制するのが望ましい。
【００１６】
本発明に係る前記マッサージ装置は、前記揉み玉が押圧されていない自由状態において、前記立ち下がり部は、前記第１軸心方向に対して、前記立ち上がり部と重なる重なり部を有しているのが望ましい。
【００１７】
本発明に係る前記マッサージ装置は、前記支持部材は、前記第１軸心と平行な第３軸心周りに回転可能であるのが望ましい。
【００１８】
本発明に係る前記マッサージ装置は、前記支持部材は、前記回転台に対し固着されているのが望ましい。
【考案の効果】
【００１９】
本考案のマッサージ装置は、電動機を有する本体部と、本体部に設けられかつ電動機で第１軸心の回りで回転駆動される回転台と、回転台上に設けられかつ使用者に押圧されることにより使用者に刺激を与える押圧部とを有する。押圧部は、回転台から使用者側に突出する支持部材と、支持部材に、第１軸心と直交する第２軸心回りに回転自在に支持された少なくとも一つの揉み玉とを含んでいる。
【００２０】
このように、本考案のマッサージ装置は、揉み玉が、第１軸心及び第２軸心の回りにそれぞれ回転可能である。即ち、揉み玉に第１軸心回りの回転力が与えられる。このため、揉み玉による心地よいマッサージが可能である。また、回転台の第１軸心回りの回転による使用者等と揉み玉との摩擦が、揉み玉の第２軸心回りの回転（自転）により軽減される。従って、本考案のマッサージ装置は、心地よいマッサージが可能であるとともに、揉み玉の耐久性が向上する。
【図面の簡単な説明】
【００２１】
【図１】本考案の一実施形態を示すマッサージ装置の斜視図である。
【図２】図１のマッサージ装置の平面図である。
【図３】図２の回転台の部分拡大側面図である。
【図４】押圧部の分解斜視図である。
【図５】図２のＡ−Ａ断面図である。
【図６】本考案の他の実施形態の押圧部の概略斜視図である。
【図７】従来のマッサージ装置の概略斜視図である。
【考案を実施するための形態】
【００２２】
以下、本考案の実施の一形態が図面に基づき説明される。
図１には、本実施形態のマッサージ装置１の斜視図が示される。図２はその平面図が示されている。本実施形態のマッサージ装置１は、例えば、使用者の背中や腰等をマッサージするために好適に用いられる。
【００２３】
図１及び２に示されるように、マッサージ装置１は、矩形状の本体部２と、本体部２に設けられた本実施形態では２つの回転台３、３と、それぞれの回転台３上に設けられた押圧部４とを有している。
【００２４】
本実施形態のマッサージ装置１は、例えば、矩形の額縁状をなす基枠部５の中に配されている。マッサージ装置１は、基枠部５に対して、図示しない駆動機構により、移動可能に設けられている。基枠部５の短い辺に沿った方向をＸ、長い辺に沿った方向をＹ、及び、厚さ方向をＺとした場合、マッサージ装置１は、基枠部５に対して、Ｙ方向に往復移動可能に設けられている。マッサージ装置１は、基枠部５とともに、布等からなるカバーＣ（仮想線で示される）で覆われているのが望ましい。
【００２５】
本実施形態のマッサージ装置１は、例えば、持ち運ぶことができるように、小型化されている。但し、本考案のマッサージ装置１は、このような形態に限定されるものではなく、例えば、椅子状に構成されても良い。好ましい態様では、マッサージ装置１は、例えば、床面や、ソファや椅子等の背もたれ部等に置かれる。
【００２６】
本体部２は、矩形状のケーシング６で覆われている。本実施形態の本体部２は、ケーシング６の内部に、２台の電動機Ｍ１、Ｍ２（図２に示す）を有している。電動機Ｍ１は、例えば、歯車又はベルト等の動力伝動具（詳細図示せず）を介して、回転台３を回転駆動させる。電動機Ｍ２は、例えば、本体部２を、ガイドＧ上で往復移動させる。
【００２７】
本実施形態のケーシング６の上面には、２つの開口部Ｏ１、Ｏ２が設けられている。各開口部Ｏ１、Ｏ２から回転台３がケーシング６の上部に露出している。回転台３は、例えば、電動機Ｍ１が駆動されることにより、開口部Ｏ１、Ｏ２のそれぞれの範囲内において、Ｘ方向に往復移動することができる。
【００２８】
図３には回転台３の側面図、図４には押圧部の分解斜視図、図５には図２のＡ−Ａ断面図が示されている。各回転台３は、本実施形態では、円盤状に形成されている。図３に示されるように、回転台３は、電動機Ｍ１（図２に示す）で駆動される軸７で本体部２側から支持されている。この軸７の軸心が、第１軸心Ａ１である。即ち、回転台３は、軸７によって、第１軸心Ａ１周りに回転する。本実施形態の第１軸心Ａ１は、回転台３の中心Ｏに一致し、Ｚ軸と平行かつ使用者と直交する。
【００２９】
図３及び図４に示されるように、回転台３は、使用者側に突出する立ち上がり部８と、回転台の上面３ａを貫通する孔９とを含んでいる。本実施形態の立ち上がり部８は、略円筒状で形成されている。このため、回転台３は、立ち上がり部８に囲まれた環状の第１空間８ａを有している。孔９は、立ち上がり部８の内側であって、第１空間８ａの下端に設けられている。この孔９には、後述する押圧部４の支持部材１０の一端側が挿入されている。
【００３０】
押圧部４は、使用者に押圧されることにより使用者に刺激を与える。押圧部４は、回転台３から使用者側に突出する支持部材１０、第１軸心Ａ１と直交する第２軸心Ａ２回りに回転する少なくとも一つの揉み玉１１、及び、揉み玉１１を支持部材１０に回転自在に支持する保持軸１２を有している。このように、本実施形態では、揉み玉１１が、第１軸心Ａ１及び第２軸心Ａ２の回りにそれぞれ回転可能である。即ち、揉み玉１１に第１軸心Ａ１回りの回転力が与えられる。このため、揉み玉１１による心地よいマッサージが可能である。また、使用者等と直交する第１軸心Ａ１回りに回転する揉み玉１１と使用者等との間の摩擦力が、使用者等と平行な第２軸心Ａ２回りの揉み玉１１の回転（自転）により軽減される。従って、揉み玉１１の耐久性が向上する。
【００３１】
支持部材１０は、回転台３の第１軸心Ａ１から偏心した第３軸心Ａ３の位置に設けられている。第３軸心Ａ３は、第１軸心Ａ１と平行である。第３軸心Ａ３は、回転台３の孔９の中心に位置する。
【００３２】
支持部材１０は、使用者側に配された基部１３、回転台３の孔９に挿入された柱状の円柱部１４、円柱部１４と揉み玉１１との間に配された鍔部１５、及び、鍔部１５の周りで回転台３側にのびる立ち下がり部１６を有している。
【００３３】
基部１３は、例えば、軸受け１３ａが設けられた貫通孔１３ｂを有している。貫通孔１３ｂの中心軸は、第１軸心Ａ１と直交している。この貫通孔１３ｂに保持軸１２が支持されている。
【００３４】
円柱部１４の外径は、孔９の内径よりも僅かに小さく形成されている。これにより、支持部材１０は、第３軸心Ａ３の回りで回転可能かつ第３軸心Ａ３と平行にスライド移動できる。
【００３５】
図５に示されるように、円柱部１４の下端側には、回転台３の下方側から、ワッシャー２１を介してビス２２が固着されている。ワッシャー２１の外径は、孔９の内径よりも大きい。これにより、支持部材１０は、回転台３から上方への抜け止めがなされている。
【００３６】
鍔部１５は、第３軸心Ａ３と直角方向にのびている。本実施形態の鍔部１５は、円板状である。
【００３７】
鍔部１５の外径は、回転台３の立ち上がり部８の外径以上である。従って、本実施形態では、鍔部１５の回転台３側の下面１５ｂは、回転台３の立ち上がり部８の上面８ｂと当接することにより、揉み玉１１の回転台３側への移動が規制される。
【００３８】
本実施形態では、立ち下がり部１６は、鍔部１５の外周面１５ａから半径方向の内側に控えた位置で回転台３側にのびている。立ち下がり部１６は、例えば、円柱部１４と接触することなくのびている。これにより、立ち下がり部１６と円柱部１４との間には、環状の第２空間１６ａが設けられている。立ち下がり部１６は、このような態様に限定されるものではなく、例えば、鍔部１５の外周面１５ａから回転台３側へのびるものでも良い。第２空間１６ａは、本実施形態では、第１空間８ａと上下に連なる。
【００３９】
支持部材１０と回転台３との間には、圧縮されたコイルバネ１７が設けられている。バネ１７は、本実施形態では、第１空間８ａと第２空間１６ａとの間で保持されている。これにより、揉み玉１１は、バネ１７の弾性力を利用して、使用者にさらに快適な刺激を与えることができる。また、バネ１７は、揉み玉１１への急激な押圧力を緩和する。このため、揉み玉１１の破損等が防止される。
【００４０】
本実施形態では、揉み玉１１が押圧されていない自由状態において、立ち下がり部１６は、第１軸心Ａ１方向及び第３軸心Ａ３方向に対して、立ち上がり部８と重なる重なり部２０を有している。これにより、押圧部４の揉み玉１１の上下の移動が、立ち上がり部８の内周面８ｃによって案内され、揉み玉１１がスムーズに移動する。このため、揉み玉１１の耐久性が向上する。本実施形態では、立ち下がり部１６は、回転台３の立ち上がり部８とわずかに離間して平行にのびている。
【００４１】
支持部材１０は、マッサージ装置１の使用時に、使用者を押圧する押圧面１０ａを有している。このような押圧面１０ａは、使用者等と押圧部４との接触面積を増加させ、使用者等と揉み玉１１との摩擦を低減し、揉み玉１１の耐久性を向上させる。
【００４２】
本実施形態では、揉み玉１１は、支持部材１０の第２軸心Ａ２方向の両側に左右一対設けられている。これにより、マッサージ領域が拡大される。
【００４３】
本実施形態の揉み玉１１は、支持部材１０から離間する向きに外径が漸減する略お椀状の外表面を有している。このような揉み玉１１は、揉み玉１１の外側に向かって、使用者への押圧力を漸減させるため、使用者にさらに快適な刺激を与え得る。
【００４４】
揉み玉１１は、保持軸１２側を向く内表面２４と、一端側が内表面２４に固着された筒状の内筒部２５とを有している。本実施形態の内筒部２５は、第２軸心Ａ２と同心で内表面２４に固着されている。これにより、揉み玉１１は、スムーズに回転し、高い剛性を具える。
【００４５】
本実施形態では、揉み玉１１は、ワッシャー２８を介して、第２軸心Ａ２方向の外側からビス２７により保持軸１２に固定されている。なお、揉み玉１１は、カシメや接着剤により保持軸１２に固定されても良い。
【００４６】
揉み玉１１は、使用者側の端面１１ａ、即ち、マッサージ装置１の使用時に、使用者に押圧される面である端面１１ａを有している。この端面１１ａは、支持部材１０の押圧面１０ａと滑らかに連続しているのが望ましい。これにより、使用者等と揉み玉１１との摩擦がさらに低減され、揉み玉１１の耐久性が一層向上する。このような作用を効果的に発揮させるため、端面１１ａと押圧面１０ａとが使用者側に向かって凸となる滑らかな円弧状であるのが望ましい。
【００４７】
支持部材１０及び揉み玉１１は、樹脂で形成されているのが望ましい。
【００４８】
回転台３には、複数個の押圧部が設けられても良い。図４に示されるように、本実施形態の回転台３上には、第１軸心Ａ１及び第３軸心Ａ３とは異なる位置に、上述の押圧部４とは異なる形状の押圧部３０が設けられている。
【００４９】
本実施形態の押圧部３０は、例えば、使用者側に向かって滑らかな凸となる略半球状の揉み玉３１を有し、図示しないバネ等を介して回転台３に対し回転可能に支持されている。揉み玉３１の内部には、例えば、温熱効果を使用者に与え得る発熱体（図示省略）が設けられている。発熱体には、回転台３の下向きに付勢された端子３２、３２からのびる電源ケーブル３３、３３が接続され、例えば、本体部２に設けられたスリップリング（図示省略）によって電力が安定的に供給される。発熱体は、例えば、発光ダイオード等の半導体等からなる。
【００５０】
図６には、本考案の他の押圧部４の実施形態が示される。この実施形態では、押圧部４の揉み玉１１は、第２軸心Ａ２と同心の円筒状外径を有している。
【００５１】
支持部材１０は、回転台３に対し固着されているものでも良い。これにより、揉み玉１１が使用者により大きな刺激を与えることができる。さらに、支持部材１０は、第３軸心Ａ３方向に沿って移動可能であるが、第３軸心Ａ３回りに回転しない構造、第３軸心Ａ３回りに回転可能であるが、第３軸心Ａ３に沿って移動しない構造でも良い。
【００５２】
以上、本考案の特に好ましい実施形態について詳述したが、本考案は図示の実施形態に限定されることなく、種々の態様に変形して実施しうる。
【符号の説明】
【００５３】
１  マッサージ装置
２  本体部
３  回転台
４  押圧部
１０  支持部材
１１  揉み玉
Ａ１  第１軸心
Ａ２  第２軸心
【図１】
0003185001.tif 000003
【図２】
0003185001.tif 000004
【図３】
0003185001.tif 000005
【図４】
0003185001.tif 000006
【図５】
0003185001.tif 000007
【図６】
0003185001.tif 000008
【図７】
0003185001.tif 000009